【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
プレートを骨に固定するスクリューの選択を支援する医用画像処理装置であって、
前記プレートが固定される骨を含む医用画像を取得する取得部と、
前記プレートが固定される骨を含む医用画像から前記プレートが固定される骨を特定し、前記骨の画素値に基づいて前記骨の性質を判定する判定部と、
前記骨の性質の判定により得られた情報に基づいて、前記骨に埋め込み可能なスクリューを選択する選択部と、
を備える医用画像処理装置。
【請求項２】
前記判定部は、前記骨の画素値に基づいて前記骨の性質である骨のもろさを判定することにより前記骨のもろさを示す空間分布を示す情報を得る、
請求項１に記載の医用画像処理装置。
【請求項３】
スクリューの種類と前記骨のもろさの度合いとが対応付けされたスクリューテーブルを記憶する記憶部を更に備え、
前記選択部は、前記スクリューテーブルに基づいて前記骨に埋め込み可能なスクリューを選択する、
請求項２に記載の医用画像処理装置。
【請求項４】
前記骨における前記スクリューを埋め込む位置を指定する指定部とを更に備え、
前記選択部は、前記指定された位置において、前記スクリューが埋め込まれる方向と平行な方向における前記骨の長さを算出し、前記スクリューが前記骨に埋め込み可能か否か判定する、
請求項２乃至請求項３のいずれか１項に記載の医用画像処理装置。
【請求項５】
前記判定部は、前記骨のもろさの度合いをＣＴ値に基づいて判定する、
請求項２乃至請求項４のいずれか１項に記載の医用画像処理装置。
【請求項６】
前記骨のもろさの度合いを示す指標は、Ｍｉｓｃｈ分類であり、
前記選択部は、前記Ｍｉｓｃｈ分類に基づいて、前記骨に埋め込み可能なスクリューを選択する、
請求項２乃至請求項５のいずれか１項に記載の医用画像処理装置。
【請求項７】
前記スクリューテーブルは、プレートを骨に固定させた際の前記スクリューの種類毎の固定力の強さを更に含み、
前記選択部は、前記骨のもろさの度合いと前記固定力の強さとに基づいて前記骨に埋め込み可能なスクリューを選択する、
請求項３に記載の医用画像処理装置。
【請求項８】
前記固定力が強いスクリューには、ロッキングスクリューが含まれる、
請求項７に記載の医用画像処理装置。
【請求項９】
前記判定部は、前記骨の画素毎に判定された前記骨の性質である骨のもろさを所定の範囲内で統計処理し、前記所定の範囲における骨のもろさを判定し、
前記選択部は、前記所定の範囲内に埋め込み可能なスクリューを選択する、
請求項１乃至請求項８のいずれか１項に記載の医用画像処理装置。
【請求項１０】
前記判定部は、前記骨の画素毎に判定された骨のもろさに基づいて、前記プレートが固定される骨全体のもろさを判定し、
前記選択部は、前記骨全体に対して埋め込み可能なスクリューを選択する、
請求項２乃至請求項８のいずれか１項に医用画像処理装置。
【請求項１１】
前記判定部は、前記スクリューが埋め込まれる深さ方向における前記骨のもろさの度合いを判定し、
前記選択部は、深さ方向のもろさの度合いに基づいて前記骨に埋め込み可能なスクリューを選択する、
請求項２乃至請求項１０のいずれか１項に医用画像処理装置。
【請求項１２】
前記判定部は、骨折線からの距離に基づいて前記骨の画素毎に判定された骨のもろさを重み付けする、
請求項２乃至請求項１１のいずれか１項に医用画像処理装置。
【請求項１３】
プレートを骨に固定するスクリューを選択する医用画像処理プログラムであって、
コンピュータを、
前記プレートが固定される骨を含む医用画像を取得する手段、
前記プレートが固定される骨を含む医用画像から前記プレートが固定される骨を特定し、前記骨の画素値に基づいて前記骨の性質を判定する手段、
前記骨の性質の判定により得られた情報に基づいて、前記骨に埋め込み可能なスクリューを選択する手段、
として機能させる医用画像処理プログラム。
【請求項１４】
プレートを骨に固定するスクリューを選択する医用画像診断装置であって、
被検体にＸ線を照射し、前記プレートが固定される骨を含むＸ線画像を収集する撮像部と、
前記プレートが固定される骨を含む医用画像から前記プレートが固定される骨を特定し、前記骨の画素値に基づいて前記骨の性質を判定する判定部と、
前記骨の性質の判定により得られた情報に基づいて、前記骨に埋め込み可能なスクリューを選択する選択部と、
を備える医用画像診断装置。
【手続補正２】
【補正対象書類名】明細書
【補正対象項目名】００４５
【補正方法】変更
【補正の内容】
【００４５】
処理回路４４は、Ｘ線ＣＴ装置２の全体の動作を制御する。また、処理回路４４は、データ収集回路１８から出力された検出データに対して補正処理などの前処理を実行し、前処理後の検出データを再構成処理してＣＴ画像データの生成を実行する。更に、処理回路４４は、ＣＴ画像データを公知の方法により任意断面の断層像データや３次元画像データを生成する画像処理を実行する。
【手続補正３】
【補正対象書類名】明細書
【補正対象項目名】００４７
【補正方法】変更
【補正の内容】
【００４７】
なお、上記説明におけるプロセッサとは、専用又は汎用のＣＰＵ（Central Processing Unit）、ＧＰＵ（Graphics Processing Unit）、特定用途向け集積回路（ＡＳＩＣ：Application Specific Integrated Circuit）、プログラマブル論理デバイス、及びフィールドプログラマブルゲートアレイ（ＦＰＧＡ：Field Programmable Gate Array）などの回路を意味する。上記プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）などが挙げられる。処理回路４４は、メモリ４１に記憶されたプログラム又は処理回路４４のプロセッサ内に直接組み込まれたプログラムを読み出し、当該プログラムを実行することで各機能を実現する。
【手続補正４】
【補正対象書類名】明細書
【補正対象項目名】００５０
【補正方法】変更
【補正の内容】
【００５０】
なお、コンソール装置４０で実行可能な画像再構成などの画像処理は、医用画像処理装置５で実行できても良い。同様に、医用画像処理装置５で実行可能な骨折部における治療計画の作成処理についても、コンソール装置４０で実行できても良い。また、コンソール装置４０と医用画像処理装置５との両方で同時に実行することとしても構わない。
【手続補正５】
【補正対象書類名】明細書
【補正対象項目名】００５７
【補正方法】変更
【補正の内容】
【００５７】
なお、プレート画像データは、画像サーバ４に格納されていてもよいし、他の外部記憶装置に格納されてもよい。プレート画像は、ユーザによるプレートＩＤの選択に応じて画像サーバ４や外部記憶装置からダウンロードされるように医用画像処理装置５を構成してもよい。
【手続補正６】
【補正対象書類名】明細書
【補正対象項目名】００５９
【補正方法】変更
【補正の内容】
【００５９】
ディスプレイ５２は、Ｘ線ＣＴ装置２のディスプレイ４２と同様の構成を有し、処理回路５４の制御に従い、被検体Ｐの骨折部画像やプレートの３次元画像を表示する。また、骨折部における骨の性質を示す生体指標を骨折部画像上に表示する。更に、骨折部に埋め込み可能なスクリューのリストを表示する。ディスプレイ５２に表示される骨折部に埋め込み可能なスクリューのリストの表示例については、後述の図１０で詳細に説明する。